(57)【特許請求の範囲】
【請求項１】
アルミニウム又はアルミニウム合金で作られた内側板部材と、その内側板部材に接着剤により接合され、アルミニウム又はアルミニウム合金で作られた外側板部材とを有する電子機器用筐体への部品装着方法において、
前記内側板部材の一部を切り起こして切り起し部を形成するステップと、
前記切り起し部が切り起こされる前の部分の接着剤により前記外側板部材に部品を装着するステップと、
を有することを特徴とする電子機器用筐体への部品装着方法。
【請求項２】
前記切り起し部と前記部品との間に埋物を入れるステップを有することを特徴とする請求項１に記載の電子機器用筐体への部品装着方法。
【請求項３】
前記切り起し部に形成されているネジ孔を介して前記部品をネジによって装着するステップを有することを特徴とする請求項１又は２に記載の電子機器用筐体への部品装着方法。
【請求項４】
前記内側板部材と前記外側板部材との厚さが異なる電子機器用筐体に部品を装着することを特徴とする請求項１乃至３のいずれか１つの項に記載の電子機器用筐体への部品装着方法。
【請求項５】
複数に分割された前記内側板部材の各々が前記外側板部材に接合されている電子機器用筐体に部品を装着することを特徴とする請求項１乃至４のいずれか１つの項に記載の電子機器用筐体への部品装着方法。
【請求項６】
携帯型パーソナルコンピュータの画面部と本体部との間のヒンジ部が前記内側板部材で構成されている電子機器用筐体に部品を装着することを特徴とする請求項１乃至５のいずれか１つの項に記載の電子機器用筐体への部品装着方法。
【請求項７】
携帯型パーソナルコンピュータの画面部と本体部との間のヒンジ部が、前記内側板部材の切り起し部と、ブロック部材からなる部品とを備える電子機器用筐体に前記部品を装着することを特徴とする請求項１乃至５のいずれか１つの項に記載の電子機器用筐体への部品装着方法。
【発明の詳細な説明】
【０００１】
【発明の属する技術分野】
本発明は、ノート型パーソナルコンピュータ、携帯用情報機器、携帯用音響機器等の各種の電子機器に用いられる電子機器用筐体への部品装着方法に関し、特に、アルミニウム又はアルミニウム合金で作られた電子機器用筐体への部品装着方法に関する。
【０００２】
【従来の技術】
従来の電子機器用筐体は、主にプラスチックで作られていた。しかし、プラスチック製の筐体は、剛性を高めるために肉厚が厚くなりやすく、放熱性が悪く、また、電磁シールドの効果も少ない。
【０００３】
そこで、近年、マグネシウム製又はマグネシウム合金製の電子機器用筐体が用いられるようになった。マグネシウムは、プラスチックに比べ、剛性が高いため薄肉化が可能であり、放熱性が良好であり、また、電磁シールドの効果もある。マグネシウム又はマグネシウム合金の成形体からなる電子機器用筐体は、例えば特開平１０ー１５１４１０号公報に開示されている。
【０００４】
また、強度が高く軽量であるアルミニウムパネルを用いた電子機器用筐体が、例えば特開平１０ー１４７８５７号公報に開示されている。
【０００５】
【発明が解決しようとする課題】
通常、マグネシウム又はマグネシウム合金の成形体からなる電子機器用筐体は、ダイカスト鋳造装置を用いて成形して製造される。しかし、そり、引け等の鋳造欠陥が生じる場合があり、歩留りが低く供給が不安定になりやすい。また、このような鋳造欠陥を手直ししなければならないので、そのための時間とコストがかかる。また、マグネシウム又はマグネシウム合金は耐食性に劣るので、大気中ですぐに酸化されて表面に薄い皮膜が形成され外観が損なわれることがある。そのため、塗装等の表面処理を施す必要があり、時間とコストがかかる。さらに、鋳造品では設計変更への対応度が低く、開発コストが高くなる。
【０００６】
一方、アルミニウムパネルを用いた電子機器用筐体は、放熱性に優れているが、電子部品から発生した熱が筐体表面まで伝わり、筐体表面の温度が過度に高くなってしまう。温度が高くなった筐体表面に手が触れたときの感触は通常好まれないので、筐体に断熱的塗装を施す必要があった。しかし、このような断熱的塗装はコスト的に高価であった。また、筐体内に部品を装着したり補強したりする場合、取付部材、補強用リブ、突起部、ネジ孔部等を新たに取り付ける必要があり、部品点数が多くなり、製作時間もかかる。
【０００７】
本発明は、上記課題を解決するためになされたものであり、歩留りが高く、高品質であり、設計変更への対応度が高く、断熱性が良好であり、部品点数を低減でき、製作が容易な電子機器用筐体への部品装着方法を提供することを目的とする。
【０００８】
【課題を解決するための手段】
本発明の電子機器用筐体への部品装着方法は、アルミニウム又はアルミニウム合金で作られた内側板部材と、その内側板部材に接着剤により接合され、アルミニウム又はアルミニウム合金で作られた外側板部材とを有する電子機器用筐体への部品装着方法において、前記内側板部材の一部を切り起こして切り起し部を形成するステップと、前記切り起し部が切り起こされる前の部分の接着剤により前記外側板部材に部品を装着するステップとを有することを特徴とするものである。
【００１０】
上記内側板部材と外側板部材との厚さが異なってもよい。
【００１１】
複数に分割された内側板部材の各々が外側板部材に接合されてもよい。
【００１３】
本発明の電子機器用筐体への部品装着方法は又、携帯型パーソナルコンピュータの画面部と本体部との間のヒンジ部が前記内側板部材で構成されている電子機器用筐体に部品を装着する方法でもよく、携帯型パーソナルコンピュータの画面部と本体部との間のヒンジ部が、前記内側板部材の切り起し部と、ブロック部材からなる部品とを備える電子機器用筐体に前記部品を装着する方法でもよい。
【００１４】
【発明の実施の形態】
以下、本発明の実施の形態を図面を参照しながら説明する。本発明の電子機器用筐体は、図１（Ａ）に示すように、金属板で作られた内側板部材１と、その内側板部材１に接合され、金属板で作られた外側板部材２とを備えている。内側板部材１と外側板部材２とは、例えばアルミニウム又はアルミニウム合金で作られ、接着剤３により接合される。この接着剤３は、筐体の内部で発生した熱が外側板部材２に伝わるのを防止する断熱層としての役割も有する。内側板部材１と外側板部材２の厚さは用途に応じて適宜設計される。
【００１５】
本発明の電子機器用筐体では、図１（Ｂ）に示すように、複数に分割された内側板部材１の各々を外側板部材２に接合してもよい。また、内側板部材１の一部を切り起して切り起し部１ａを形成してもよい。
【００１６】
本発明の電子機器用筐体への部品装着方法では、切り起し部１ａを形成した後、図１（Ｃ）に示すように、切り起し部１ａが切り起こされる前の部分の接着剤３により、外側板部材２に部品４を取り付ける。この場合、切り起し部１ａの強度を高め、かつ部品４を安定して固定するため、切り起し部１ａと部品４との間に樹脂製の埋物５を入れてもよい。
【００１７】
図２乃至図４は、本発明の他の実施の形態を示す。図２（Ａ）に示すように、内側板部材１の一部を切り起こして、縦リブ５を設けたり、図２（Ｂ）に示すように、突起状のリブ６を設けてもよい。図２（Ｃ）に示すように、内側板部材１の上部を外側板部材２の外側まで折り曲げてフック状のつめ部７を設けてもよい。図２（Ｄ）に示すように、内側板部材１の角部を折り曲げて補強リブ８を設けてもよい。
【００１８】
また、図３（Ａ）に示すように、外側板部材２にピン９を挿入する場合において、挿入孔１０を深くとる必要があるときは、挿入孔１０に対応する内側板部材１の部分に凹部１０ａを設けてもよい。図３（Ｂ）に示すように、断面略Ｌ字状に形成された切り起し部１１の上面にネジ孔１２を形成し、ネジ１３によって部品４を装着してもよい。
【００１９】
さらに、図４に示すように、内側板部材１の間隔を隔てた２箇所を切り取って折り返して形成された切り起し部１４、１４を設け、切り起し部１４、１４の間に部品１５を装着又は位置決めしてもよい。
【００２０】
本発明の電子機器用筐体への部品装着方法によれば、内側板部材１と外側板部材２とが接着剤３により接合されており、内側板部材１の一部を切り起こして切り起し部１ａを形成し、その切り起し部１ａが切り起こされる前の部分の接着剤３により外側板部材２に部品４を装着するので、部品４の装着を容易に行うことができ、製作時間の短縮化を図ることができるとともに、接着剤３が断熱層となり、筐体表面の温度が高くなることを防止できる。
【００２１】
また、内側板部材１を加工することにより、部品の取付部材、補強用リブ、突起部、ネジ孔等を設けることができるので、部品点数を大幅に低減することができ、製作時間を短縮することができる。
【００２３】
本発明は、上記実施の形態に限定されることはなく、特許請求の範囲に記載された技術的事項の範囲内において、種々の変更が可能である。例えば、内側板部材１と外側板部材２とはスポット溶接により接合されてもよい。また、本発明の電子機器用筐体は、提携型（ノート型）パーソナルコンピュータに用いられ、その携帯型パーソナルコンピュータの画面部と本体部との間のヒンジ部が、内側板部材１で構成されていてもよい。また、上記のヒンジ部が、内側板部材１の切り起し部１ａと、その切り起し部１ａに装着又は位置決めされたブロック部材とを備えていてもよい。
【００２４】
【発明の効果】
本発明の電子機器用筐体への部品装着方法によれば、内側板部材と外側板部材とが接着剤により接合され、内側板部材の一部を切り起こして切り起し部を形成し、その切り起し部が切り起こされる前の部分の接着剤により外側板部材に部品を装着するので、部品の装着を容易に行うことができ、製作時間の短縮化を図ることができるとともに、接着剤が断熱層となり、筐体表面の温度が高くなることを防止できる。
【００２５】
また、内側板部材を加工することにより、部品の取付部材、補強用リブ、突起部、ネジ孔等を設けることができるので、部品点数を大幅に低減することができ、製作時間を短縮することができる。
【図面の簡単な説明】
【図１】（Ａ）乃至（Ｃ）は本発明の実施の形態を示す断面図である。
【図２】（Ａ）乃至（Ｄ）は本発明の実施の形態を示す断面図である。
【図３】（Ａ）及び（Ｂ）は本発明の実施の形態を示す断面図である。
【図４】本発明の実施の形態を示す斜視図である。
【符号の説明】
１：内側板部材
１ａ：切り起し部
２：外側板部材
３：接着剤
４：部品
【図１】
0004190622.tif 000002
【図２】
0004190622.tif 000003
【図３】
0004190622.tif 000004
【図４】
0004190622.tif 000005